(57)【要約】【課題】光学的読取コードの読み取りにかかる時間の増加を抑制する。【解決手段】携帯型情報端末２は、ゲート装置３に読み取られる光学的読取コード１０を配置した画像を生成する画像生成部２５と、表示器２０の画面２００に画像を表示させる表示部２４と、表示器２０の画面２００の向きを検出する検出部２３と、を備える。画像生成部２５は、検出部２３によって、表示器２０の画面２００が、ゲート装置３の読取領域３２０に対向する向きであることが検出されている間、時間の経過に伴って、光学的読取コード１０の表示位置を異なる位置に配置した画像を生成する。【選択図】図３
2019159915.tif 000002
【特許請求の範囲】
【請求項１】
ゲート装置に読み取らせる光学的読取コードを配置した画像を生成する画像生成部と、
前記画像を表示器の画面に表示させる表示部と、
前記表示器の画面の向きを検出する検出部と、
を備え、
前記画像生成部は、前記検出部によって、前記表示器の画面が、前記ゲート装置の読取領域に対向する向きであることが検出されている間、時間の経過に伴って、前記光学的読取コードの表示位置を異なる位置に配置した画像を生成する、
携帯型情報端末。
【請求項２】
前記光学的読取コードは、乗車券情報を示す、
請求項１に記載の携帯型情報端末。
【請求項３】
前記画像生成部は、初期画像として前記光学的読取コードを前記表示器の画面の中央に配置した画像を生成する、
請求項１又は２に記載の携帯型情報端末。
【請求項４】
前記画像生成部は、前記光学的読取コードを前記表示器の画面の中央から一方向に離れた位置に配置した画像を生成し、その後、前記光学的読取コードを前記表示器の画面の中央を中心に、前記一方向に離れた位置と対象となる位置に配置した画像を生成する、
請求項３に記載の携帯型情報端末。
【請求項５】
前記表示部は、前記画面の向きに応じて、前記画面の輝度を変化させる、
請求項１乃至４の何れかに記載の携帯型情報端末。
【請求項６】
請求項１乃至５の何れかに記載の携帯型情報端末と、
前記ゲート装置と、
を備え、
前記ゲート装置は、前記読取領域に翳された前記光学的読取コードを読み取って通行を制限する、
ゲートシステム。
【請求項７】
ゲート装置に読み取らせる光学的読取コードが表示された画像を生成する画像生成ステップと、
前記画像を表示器の画面に表示させる表示ステップと、
前記表示器の画面の向きを検出する検出ステップと、
をコンピュータが実行し、
前記画像生成ステップは、前記表示ステップによって、前記表示器の画面が、前記ゲート装置の読取領域に対向する向きであることが検出されている間、時間の変化に伴って、前記表示器の画面上に表示する前記光学的読取コードの表示位置を異なる位置に配置させた画像を生成する、
情報処理方法。
【請求項８】
ゲート装置に読み取らせる光学的読取コードが表示された画像を生成する画像生成ステップと、
前記画像を表示器の画面に表示させる表示ステップと、
前記表示器の画面の向きを検出する検出ステップと、
をコンピュータに実行させ、
前記画像生成ステップは、前記表示ステップによって、前記表示器の画面が、前記ゲート装置の読取領域に対向する向きであることが検出されている間、時間の変化に伴って、前記表示器の画面上に表示する前記光学的読取コードの表示位置を異なる位置に配置させた画像を生成する、
情報処理プログラム。
【発明の詳細な説明】
【技術分野】
【０００１】
この発明は、画像を制御する携帯型情報端末と、この携帯型情報端末の画像からの情報を処理するゲートシステム、画像を制御する情報処理方法及び情報処理プログラムに関する。
【背景技術】
【０００２】
従来、自動改札システムにおいて、利用者が携帯端末から行った乗車予約に対し、当該携帯端末にセンター装置から受信した乗車情報を含むＱＲコード（登録商標）（以下、光学的読取コードと呼ぶ）が当該携帯端末に表示される（例えば、特許文献１）。特許文献１に記載の自動改札システムでは、利用者が当該携帯端末に表示された光学的読取コードを、読取部を有する自動改札機に読み取らせる。自動改札機は、光学的読取コードに含まれる乗車情報に基づいて利用者の通行の可否を行う。
【先行技術文献】
【特許文献】
【０００３】
【特許文献１】特開２０１５−１７９５４３号公報
【発明の概要】
【発明が解決しようとする課題】
【０００４】
しかしながら、自動改札システム（ゲートシステム）では、自動改札機（ゲート装置）に携帯端末（携帯型情報端末）に表示された光学的読取コードを読み取らせる際、利用者は、携帯端末の画面を読取部に対向させる（下側に向ける）ので、画面を見ながら翳すことができない。このため、利用者が、携帯端末に光学的読取コードが読取部の適正な位置からズレてしまい、表示させて翳した光学的読取コードを読取部に読み取らせることができない。
【０００５】
利用者は、読取部が光学的読取コードを読み取れないと、光学的読取コードが携帯端末の画面に表示されているかなど確認して、繰り返し読取部に携帯端末を翳す。これにより、自動改札システムでは、光学的読取コードの読み取りに時間がかかってしまい、改札処理のスループットが低下してしまう。なお、ここでいうスループットとは、自動改札機が単位時間当たりに改札処理人数である。
【０００６】
この発明の目的は、光学的読取コードの読み取りにかかる時間の増加を抑制する技術を提供することにある。
【課題を解決するための手段】
【０００７】
この発明の携帯型情報端末は、上記目的を達するために、以下のように構成している。
【０００８】
この携帯型情報端末は、ゲート装置に読み取らせる光学的読取コードを配置した画像を生成する画像生成部と、前記画像を表示器の画面に表示させる表示部と、前記表示器の画面の向きを検出する検出部と、を備える。前記画像生成部は、前記検出部によって、前記表示器の画面が、前記ゲート装置の読取領域に対向する向きであることが検出されている間、時間の経過に伴って、前記光学的読取コードの表示位置を異なる位置に配置した画像を生成する。
【０００９】
この構成では、光学的読取コードをゲート装置の読取領域に翳した場合、画像生成部が、光学的読取コードを前回の位置とは異なる位置に配置した画像を時間の経過に伴って生成し、表示部が、これら画像を表示する。これにより、利用者が光学的読取コードを読取領域の適正な位置に翳していない場合でも、光学的読取コードの位置が自動で変化するので、利用者が翳し直す必要がない。つまり、この構成では、光学的読取コードの読み取りにかかる処理時間の増加を抑制することができる。
【００１０】
また、この携帯型情報端末では、前記光学的読取コードは、乗車券情報を示すことが好ましい。
【００１１】
このように構成すれば、携帯型情報端末は、光学的読取コードに複数の情報、例えば有効期限、有効区間を含むことができ、鉄道を利用する際に使用されることができる。
【００１２】
また、この携帯型情報端末では、前記画像生成部は、前記光学的読取コードの位置を前記表示器の画面の中央に配置した画像を生成することが好ましい。この携帯型情報端末では、画像生成部は、その後、前記光学的読取コードを前記表示器の画面の中央を中心に、前記一方向に離れた位置と対象となる位置に配置した画像を生成する。
【００１３】
また、この携帯情報端末では、画像生成部は、光学的読取コードを、表示器の画面の中央を中心に、一方向に離れた位置と対象となる位置に配置した画像を生成することが好ましい。
【００１４】
このように構成すれば、携帯型情報端末では、利用者がゲート装置の読取領域に画面を翳す際に、光学的読取コードが読み取るための適正な位置から一方向にズレた状態で利用者が画面を翳した場合でも、利用者は、翳し直す必要がなく、ゲートのスループットの低下が抑制される。
【００１５】
また、この携帯型情報端末では、前記表示部は、前記画面の向きに応じて、前記画面の輝度を変化させることがよい。
【００１６】
このように構成すれば、携帯型情報端末は、画面が読取領域に対向することで周囲の明るさが暗くなったことを検出しても、輝度を上げることで、光学的読取コードをより読取易くすることができる。
【００１７】
この発明のゲートシステムは、上記目的を達するために、以下のように構成している。
【００１８】
このゲートシステムは、携帯型情報端末と、ゲート装置と、を備える。ゲート装置は、読取領域に翳された光学的読取コードを読み取って通行を制限する。
【００１９】
この構成では、利用者が光学的読取コードをゲート装置の読取領域に翳している間、画像生成部が、光学的読取コードを前回の位置とは異なる位置に配置した画像を時間の経過に伴って生成し、表示部が、これら画像を表示する。そして、ゲート装置が読み取った情報に基づいて、ゲートの動作を制限する。これにより、利用者が光学的読取コードを読取領域の適正な位置に翳していない場合でも、光学的読取コードの位置が自動で変化するので、利用者が翳し直す必要がない。つまり、この構成では、光学的読取コードの読み取りにかかる処理時間の増加を抑制することができる。
【発明の効果】
【００２０】
この発明によれば、光学的読取コードの読み取りにかかる時間の増加を抑制することができる。
【図面の簡単な説明】
【００２１】
【図１】改札システムの構成を示す概略図である。
【図２】自動改札機の主要部の構成を示すブロック図である。
【図３】携帯端末の主要部の構成を示すブロック図である。
【図４】図４Ａは、携帯端末の使用例を示す説明図であり、図４Ｂは、携帯端末の別の使用例を示す説明図である。
【図５】図５Ａは、光学的読取コードを表示した画像の一例を示す説明図であり、図５Ｂは、光学的読取コードを表示した画像であって、図５Ａとは異なる例を示す説明図である。
【図６】自動改札機の改札処理の一例を示すフローチャートである。
【図７】携帯端末の画像表示処理の一例を示すフローチャートである。
【図８】図８Ａは、光学的読取コードを表示した画像の一例を示す説明図であり、図８Ｂは、光学的読取コードを表示した画像であって、図８Ａとは異なる例を示す説明図である。
【図９】図９Ａは、変形例にかかる光学的読取コードを表示した画像を示す説明図であり、図９Ｂは、変形例にかかる光学的読取コードを表示した画像であって、図９Ａとは異なる例を示す説明図である。
【図１０】変形例にかかる携帯端末の画像表示処理の一例を示すフローチャートである。
【発明を実施するための形態】
【００２２】
以下、この発明の実施形態の１つである改札システム１の例について図面を参照して説明する。
【００２３】
＜１．適用例＞
図１は、この例にかかる改札システム１の構成を示す概略図である。この例にかかる改札システム１は、図１に示すように、光学的読取コード（例えば、ＱＲコード（登録商標））１０を表示する携帯型情報端末２と、利用者に対して改札処理を行う自動改札機３とを備えている。この例にかかる自動改札機３は、駅の改札口に設置されている。改札システム１では、携帯型情報端末（以下、携帯端末と呼ぶ）２が乗車券情報を示す光学的読取コード１０を表示して、自動改札機３が携帯端末２に表示された光学的読取コード１０を読み取ることで、利用者の改札通路３０の通行を制限する。この例では、改札システム１がこの発明でいうゲートシステムに相当し、自動改札機３がこの発明でいうゲート装置に相当する。
【００２４】
光学的読取コード１０は、乗車券情報を示す。光学的読取コード１０は、例えば、識別番号、有効期間、有効区間が含まれる。識別番号は、この光学的読取コード１０を識別する固有の番号である。有効期間は、この光学的読取コード１０が有効である期間を示す情報である。有効区間は、この光学的読取コード１０で入出場できる駅を示す情報である。
【００２５】
携帯端末２の利用者は、例えば、モバイルアプリケーションを動作させて、所望の入場駅、退場駅、乗車券の種類（例えば、回数券）などを画面２００上で入力する。携帯端末２は、これら情報を基に、モバイルアプリケーションによって光学的読取コード１０を生成する。なお、利用者は、例えば、インターネットを介して、サーバにアクセスし、所望の入場駅、退場駅、乗車券の種類をサーバに送信して、これに基づく光学的読取コード１０の画像をサーバから受信してもよい。
【００２６】
この例にかかる自動改札機３は、駅サーバ４と通信可能である（図２参照）。自動改札機３は、例えば、読み取った光学的読取コード１０に含まれる識別番号に、この光学的読取コード１０を使用した利用者の入出場ログを対応付けて駅サーバ４に送信する。また、自動改札機３は、光学的読取コード１０に含まれる識別番号に対応付けられた入出場ログを駅サーバから受信する。これにより、自動改札機３は、この識別番号を含む光学的読取コード１０を後述する読取部３２が読み取った場合、入出場ログに基づいて、利用者の通行を制限することができる。
【００２７】
＜２．構成例＞
図２は、この例にかかる自動改札機３の主要部の構成を示すブロック図である。自動改札機３は、図２に示すように、制御部３１と、読取部３２と、判定部３３と、利用者検知部３４と、扉開閉部３５と、表示部３６と、通信部３７と、を備える。
【００２８】
制御部３１は、自動改札機３の読取部３２、判定部３３、利用者検知部３４、扉開閉部３５、表示部３６及び通信部３７の各部の動作を制御する。
【００２９】
読取部３２は、読取領域３２０に翳された光学的読取コード１０を読み取る（図１参照）。読取部３２は、撮像部３２１と、画像処理部３２２と、読取判定部３２３と、出力部３２４とを備える。撮像部３２１は、利用者が読取領域３２０に翳した画面２００の光学的読取コード１０の画像を撮像する。画像処理部３２２は、撮像された画像をデコード処理する。読取判定部３２３は、デコード処理された画像データから乗車券情報の読み取りが成功したか否かを判定する。出力部３２４は、読み取った乗車券情報を出力する。
【００３０】
判定部３３は、乗車券情報に基づいて、利用者の改札通路３０（図１参照）の通行を許可するか否かを判定する。より詳細には、判定部３３は、乗車券情報に含まれる有効期間及び有効区間に応じて判定する。
【００３１】
利用者検知部３４は、改札通路３０に沿って配置された複数のセンサにより、改札通路３０内を通行する利用者の位置を検知する。利用者検知部３４は、図１に示すように、入場用ユニット、又は出場用ユニットの一方に、改札通路３０に沿って配置された複数の発光素子３４１と、入場用ユニット又は出場用ユニットの他方に改札通路を挟んで複数の発光素子３４１のそれぞれに対向する位置に配置された複数の受光素子（不図示）を有している。利用者検知部３４は、発光素子から照射されている光を受光していない受光素子があれば、その受光素子に対応する位置に利用者が存在すると判定する。
【００３２】
扉開閉部３５は、改札通路３０側に設けられた扉３５１を開閉する。扉３５１は、入場用ユニット及び出場用ユニットのそれぞれに２つずつ設けられている。扉開閉部３５は、例えば、利用者の通行を許可する場合、扉３５１を開する。また、扉開閉部３５は、例えば、利用者の通行を許可しない場合、扉３５１を閉する。
【００３３】
表示部３６は、改札通路３０を通行している利用者に対してメッセージを表示する。表示部３６は、例えば、液晶パネル３６１を有している。表示部３６は、入場用ユニット及び出場用ユニットのそれぞれに配置されており、改札通路３０の中心付近に配置されている。表示部３６の液晶パネル３６１には、利用者の通行が許可されている場合、利用者に通行可能であることを報知するメッセージが表示される。また、表示部３６の液晶パネル３６１には、利用者の通行が許可されていない場合、利用者に通行不可であることを報知するメッセージが表示される。なお、出場用ユニットの液晶パネル３６１には、利用者が鉄道を利用した距離に応じた運賃が表示されてもよい。
【００３４】
通信部３７は、図２に示すように、駅サーバ４との間におけるデータ通信を制御する。通信部３７は、例えば、乗車券情報に含まれる識別番号に、入出場ログを対応づけたデータを駅サーバ４に送信する。また、通信部は、識別番号に入出場ログを対応づけたデータを受信する。
【００３５】
図３は、この例にかかる携帯端末２の主要部の構成を示すブロック図である。図４Ａは、利用者が画面２００を見ているときの携帯端末２の使用例を示す説明図である。図４Ｂは、利用者が画面２００を読取領域３２０に翳しているときの携帯端末２の使用例を示す説明図である。図４Ａで示される矢印Ｘ１１及び図４Ｂで示される矢印Ｘ１２は画面２００の向きを示す。また、図４Ａ及び図４Ｂで示される矢印Ｘ１３は、鉛直方向を示す。
【００３６】
携帯端末２は、例えば、スマートフォンであって、図３に示すように、制御部２１と、操作部２２と、検出部２３と、表示部２４と、画像生成部２５と、無線通信部２６とを備えている。
【００３７】
制御部２１は、操作部２２、検出部２３、表示部２４、画像生成部２５及び無線通信部２６の各部の動作を制御する。
【００３８】
操作部２２は、携帯端末２の本体に設けた表示器２０の画面２００上に貼り付けたタッチパネルを有し、タッチパネル上における利用者の操作を検出する（図４Ａ参照）。操作部２２は、例えば、利用者による入場駅、退場駅、乗車券の種類の入力、又は光学的読取コード１０の表示の指示を受け付ける。
【００３９】
検出部２３は、表示器２０の画面２００の向きを検出する。検出部２３は、例えば、ジャイロセンサを有し、ジャイロセンサの出力値によって、表示器２０の画面２００の向きの変化を検出する。例えば、利用者が画面２００を見ている場合、図４Ａに示すように、携帯端末２の画面２００の向きは、矢印Ｘ１１の向きになる。また、例えば、利用者が自動改札機３の読取領域３２０に携帯端末２を翳す場合、携帯端末２の画面２００の向きは、図４Ｂに示すように、矢印Ｘ１２の向きになる。ジャイロセンサは、画面２００が図４Ａで示される矢印Ｘ１１の向きから、図４Ｂで示される矢印Ｘ１２の向きへの変化を検出する。また、ジャイロセンサは、図４Ｂで示される矢印Ｘ１２の向きから画面２００が図４Ａで示される矢印Ｘ１１の向きへの変化を検出する。
【００４０】
ジャイロセンサによって画面２００の向きの変化が検出されることで、検出部２３は、画面２００の向きが矢印Ｘ１１から矢印Ｘ１２に変化してから、画面２００の向きが矢印Ｘ１２から矢印Ｘ１１に変化するまでの間、画面２００の向きが矢印Ｘ１２の向きであることを検出する。言い換えると、検出部２３が画面２００の向きが矢印Ｘ１１から矢印Ｘ１２に変化してから、画面２００の向きが矢印Ｘ１２から矢印Ｘ１１に変化するのを検出されなければ、画面２００の向きは、矢印Ｘ１２の向きである。つまり、検出部２３が画面２００の向きが矢印Ｘ１１から矢印Ｘ１２に変化したのを検出してから、画面２００の向きが矢印Ｘ１２から矢印Ｘ１１に変化するのを検出しなければ、検出部２３は、画面２００の向きが読取領域３２０と対向する向きであることを検出する。言い換えると、検出部２３が画面２００の向きが矢印Ｘ１１から矢印Ｘ１２に変化したのを検出してから、画面２００の向きが矢印Ｘ１２から矢印Ｘ１１に変化するのを検出しなければ、利用者は、自動改札機３の読取領域３２０に画面２００を翳している。
【００４１】
表示部２４は、画像生成部２５で生成された画像を表示器２０の画面２００に表示する。
【００４２】
また、表示部２４は、画面２００の向きに応じて、画面２００の輝度を変化させる。より詳細には、表示部２４は、周囲の明るさが弱くなると、画面２００の輝度を上げる。表示部２４は、例えば、周囲の明るさを検出する輝度センサを有している。利用者が携帯端末２の画面２００を読取領域３２０に翳す場合、画面２００が読取領域３２０と対向するので、表示部２４の輝度センサは、周囲の明るさが比較的弱いことを検出する。この場合、表示部２４は、画像生成部２５で生成された画像を表示する画面２００の輝度を上げることで、より明確に光学的読取コード１０を表示することができる。
【００４３】
画像生成部２５は、自動改札機３に読み取らせる光学的読取コード１０を表示した画像を生成する。画像生成部２５は、検出部２３によって表示器２０の画面２００が自動改札機３の読取領域３２０に対向する向きであることが検出されている間、時間の変化に伴って、光学的読取コード１０の表示位置を異なる位置に配置した画像を生成する。
【００４４】
図５Ａは、光学的読取コード１０を表示した画像の一例を示す説明図である。図５Ｂは、光学的読取コード１０を表示した画像であって、図５Ａと異なる例を示す説明図である。
【００４５】
画像生成部２５は、図５Ａに示すように、利用者が光学的読取コード１０を画面２００上で確認し易いように、光学的読取コード１０を画面２００の中央に配置した画像を生成する。言い換えると、図４Ａに示すように、利用者が画面２００を見ている場合、画像生成部２５は、光学的読取コード１０を画面２００の中央に配置した画像を生成する。なお、以下の説明において、光学的読取コード１０が画面２００の中央に配置されている画像を初期画像として説明する。
【００４６】
画像生成部２５は、画像生成部２５は、画面２００の向きが矢印Ｘ１２（図４Ｂ参照）であると検出部２３によって検出されて、所望の時間経過後に、光学的読取コード１０を、図５Ｂに示すように、画面２００上の一方向側に配置した画像を生成する。
【００４７】
なお、画像生成部２５は、画面２００の向きが矢印Ｘ１２（図４Ｂ参照）から矢印Ｘ１１（図４Ａ参照）に変化したことを検出部２３によって検出された場合、初期画像を生成する。
【００４８】
また、画像生成部２５は、利用者が自動改札機３の読取領域３２０に画面２００を翳している間、光学的読取コード１０の画面２００上の位置がランダムに繰り返し変化するように、画像を生成する。例えば、利用者が自動改札機３の読取領域３２０に画面２００を翳している間、制御部２１は、繰り返し乱数を発生し、画像生成部２５は、乱数に対応する位置に光学的読取コード１０を配置した画像を生成する。つまり、利用者が自動改札機３の読取領域３２０に画面２００を翳している間、画像生成部２５は、前回生成した画像とは異なる画像を繰り返し生成する。
【００４９】
無線通信部２６は、例えば、携帯電話網を介して電話通信及び、インターネット上のサーバ等とデータ通信を行う。
【００５０】
この例にかかる携帯端末２では、検出部２３が画面２００の向きが図４Ｂで示される矢印Ｘ１２であることを検出している間、画像生成部２５は、光学的読取コード１０を異なる位置に配置した画像を繰り返し生成する。これにより、この例にかかる自動改札機３は、自動で光学的読取コード１０の位置が移動するので、利用者が適正な読み取り位置で画面２００を翳すことができなくても、利用者が画面２００を翳し直すことなく光学的読取コード１０を読み取ることができる。これにより、この例にかかる携帯端末２及び改札システム１は、光学的読取コード１０の読み取りにかかる時間の増加を抑制することができる。この結果、この例にかかる携帯端末２及び改札システム１は、改札処理のスループットの低下を抑制することができる。
【００５１】
携帯端末２の制御部２１は、ハードウェアＣＰＵ、メモリ、その他の電子回路によって構成されている。ハードウェアＣＰＵが、この発明にかかる情報処理プログラムを実行したときに、検出部２３、表示部２４、および画像生成部２５を動作する。また、メモリは、この発明にかかる情報処理プログラムを展開する領域や、この情報処理プログラムの実行時に生じたデータ等を一時記憶する領域を有している。制御部２１は、ハードウェアＣＰＵ、メモリ等を一体化したＬＳＩであってもよい。また、ハードウェアＣＰＵが、この発明にかかる情報処理方法を実行するコンピュータである。
【００５２】
＜３．動作例＞
この例にかかる自動改札機３の動作について図６を参照して説明する。図６は、自動改札機３の改札処理の一例を示すフローチャートである。
【００５３】
自動改札機３の読取部３２の撮像部３２１は、読取領域３２０に翳された画面２００に表示された画像を撮像する（Ｓ１１）。自動改札機３の読取部３２の画像処理部３２２は、撮像された画像をデコード処理する（Ｓ１２）。自動改札機３の読取部３２の読取判定部３２３は、デコード処理によって得られた乗車券情報の読み取りが成功しているか否かを判定する（Ｓ１３）。読取判定部３２３が乗車券情報の読み取りに失敗した場合（Ｓ１３：Ｎｏ）、自動改札機３は処理をＳ１１に戻す。つまり、自動改札機３は、乗車券情報の読み取りが成功するまで、繰り返し、携帯端末２の画面２００に表示された画像を撮像する。
【００５４】
読取判定部３２３が乗車券情報の読み取りに成功した場合（Ｓ１３：Ｙｅｓ）、自動改札機３の判定部３３は、乗車券情報に基づいて、利用者の通行を許可するか否かを判定する（Ｓ１４）。言い換えると、判定部３３は、乗車券情報に含まれる識別番号、有効期限、有効区間が利用者の通行にとって適正であるか否かを判定する。判定部３３が利用者の通行を許可した場合（Ｓ１４：Ｙｅｓ）、扉開閉部３５は、扉３５１を開する（Ｓ１５）。そして、自動改札機３の通信部３７は、乗車券情報に含まれる識別番号に、入出場ログを対応づけたデータを駅サーバ４に送信する（Ｓ１６）。
【００５５】
判定部３３が利用者の通行を許可しなかった場合（Ｓ１４：Ｎｏ）、扉開閉部３５は、扉３５１を閉する（Ｓ１７）。
【００５６】
この例にかかる携帯端末２の動作について図７を参照して説明する。図７は、携帯端末２の画像表示処理の一例を示すフローチャートである。
【００５７】
携帯端末２の画像生成部２５は、光学的読取コード１０を画面２００の中央に配置した画像（初期画像）を生成する（Ｓ２１）。携帯端末２の表示部２４は、画像生成部２５によって生成された初期画像を画面２００に表示する（Ｓ２２）。ここで、利用者は、画面２００に表示された光学的読取コード１０を画面２００上で確認することができる（図４Ａ参照）。
【００５８】
利用者は、自動改札機３の読取領域３２０に画面２００を翳そうとするとき、携帯端末２の画面２００の向きを図４Ａで示される矢印Ｘ１１から図４Ｂで示される矢印Ｘ１２に変化させる。携帯端末２の検出部２３は、画面２００の向きが矢印Ｘ１１から矢印Ｘ１２に変化したことを検出する（Ｓ２３）。言い換えると、検出部２３は、画面２００が読取領域３２０と対向していることを検出する。検出部２３が画面２００の向きが矢印Ｘ１１から矢印Ｘ１２に変化したことを検出すると（Ｓ２３：Ｙｅｓ）、表示部２４は、画面２００の輝度を所望の値に変更する（Ｓ２４）。携帯端末２は、所定の時間（例えば、５０ｍsec〜１００ｍsec）経過しているかを判定する（Ｓ２５）。所定の時間経過後、制御部２１は、乱数を発生する（Ｓ２６）。画像生成部２５は、乱数に対応する位置に光学的読取コード１０を配置した画像を生成する（Ｓ２７）。表示部２４は、画像生成部２５によって生成された画像を画面２００に表示する（Ｓ２８）。検出部２３は、画面２００が読取領域３２０に対向している向きであることを検出する（Ｓ２９）。つまり、検出部２３が、画面２００の向きが矢印Ｘ１２から矢印Ｘ１１に変化したことを検出しなければ、利用者が画面２００を読取領域３２０に翳している状態である。検出部２３が画面２００が読取領域３２０に対向している向きであることを検出した場合（Ｓ２９：Ｙｅｓ）、画像表示処理は、処理をＳ２５に戻す。
【００５９】
一方、利用者が、携帯端末２を画面２００が矢印Ｘ１１の向きになるように動かしたことで、検出部２３は、画面２００の向きが矢印Ｘ１２から矢印Ｘ１１に変化したことを検出する。検出部２３が、画面２００の向きが矢印Ｘ１２から矢印Ｘ１１に変化したことを検出した場合（Ｓ２９：Ｎｏ）、画像生成部２５は、光学的読取コード１０を画面２００の中央に配置した画像（初期画像）を生成する（Ｓ３０）。携帯端末２の表示部２４は、画像生成部２５によって生成された初期画像を画面２００に表示する（Ｓ３１）。
【００６０】
このように、この例にかかる携帯端末２は、画面２００の向きが矢印Ｘ１２から矢印Ｘ１１に変化したことを検出するまで、光学的読取コード１０の位置が自動で繰り返し変化するように画面２００に表示する。この例にかかる携帯端末２は、光学的読取コード１０を画面２００上でランダムに移動させて表示するので、利用者が読取領域３２０の適正な位置に光学的読取コード１０が位置するように画面２００を読取領域３２０に翳していない場合でも、利用者が画面２００を翳し直す必要がない。これにより、この例にかかる自動改札機３は利用者が画面２００を翳し直すことなく光学的読取コード１０を読み取ることができるので、この例にかかる携帯端末２及び改札システム１では、光学的読取コード１０の読み取りにかかる時間の増加を抑制することができる。この結果、この例にかかる携帯端末及び改札システム１では、改札処理のスループットが低下を抑制することができる。
【００６１】
＜４．変形例＞
この変形例にかかる携帯端末２の画像生成部２５によって生成される画像について図８Ａ、図８Ｂ、図９Ａ及び図９Ｂを参照して説明する。図８Ａは、光学的読取コード１０を表示した画像の一例を示す説明図である。図８Ｂは、光学的読取コード１０を表示した画像であって、図８Ａとは異なる例を示す説明図である。図８Ａで示される矢印Ｙ１１は、画面２００上の一方向（上方向）を示す。また、図８Ｂで示される矢印Ｙ１２は、矢印Ｙ１１とは反対の方向（下方向）を示す。図９Ａは、変形例にかかる光学的読取コード１０を表示した別の画像を示す説明図である。図９Ｂは、変形例にかかる光学的読取コード１０を表示した別の画像であって、図９Ａとは異なる例を示す説明図である。図９Ａで示される矢印Ｚ１１は、画面２００上の左方向を示す。図９Ｂで示される矢印Ｚ１２は、画面２００上の右方向を示す。
【００６２】
この変形例にかかる画像生成部２５は、光学的読取コード１０を表示器２０の画面２００の中央から一方向に離れた位置に配置した画像を生成する。そして、画像生成部２５は、光学的読取コード１０を表示器２０の画面２００の中央を中心に、一方向に離れた位置と対象となる位置に配置した画像を生成する。
【００６３】
例えば、画像生成部２５は、図８Ａに示すように、光学的読取コード１０を矢印Ｙ１１方向側（上側）に配置した画像を生成する。また、画像生成部２５は、図８Ｂに示すように、光学的読取コード１０を矢印Ｙ１２方向側（下側）に配置した画像を生成する。さらに、画像生成部２５は、図９Ａに示すように、光学的読取コード１０を矢印Ｚ１１方向側（左側）に配置した画像を生成する。また、画像生成部２５は、図９Ｂに示すように、光学的読取コード１０を矢印Ｚ１２方向側（右側）に配置した画像を生成する。
【００６４】
この変形例にかかる携帯端末２の画像表示処理の一例について図１０を参照して説明する。図１０は、変形例にかかる携帯端末２の画像表示処理の一例を示すフローチャートである。なお、処理Ｓ４１からＳ４４及びＳ５１〜Ｓ５２は、上述の処理Ｓ２１からＳ２４及びＳ３０からＳ３１と同じであるので説明を省略する。
【００６５】
画像生成部２５は、輝度を変更した（Ｓ４４）後、携帯端末２は、所定の時間（例えば、５０ｍsec〜１００ｍsec）経過しているかを判定する（Ｓ４５）。画像生成部２５は、光学的読取コード１０の配置する一方向（例えば、矢印Ｙ１１の方向）を設定する（Ｓ４６）。画像生成部２５は、表示器２０の画面２００の中央から一方向（矢印Ｙ１１の方向）に離れた位置に光学的読取コード１０を配置した画像を生成する（Ｓ４７）。表示部２４は、この画像を表示する（Ｓ４８）（図８Ａ参照）。
【００６６】
検出部２３は、画面２００が読取領域３２０に対向している向きであることを検出する（Ｓ４９）。検出部２３が画面２００が読取領域３２０に対向している向きであることを検出した場合（Ｓ４９：Ｙｅｓ）、画像表示処理は、処理をＳ４５に戻す。
【００６７】
ここで、携帯端末２は、所定の時間（例えば、５０ｍsec〜１００ｍsec）経過した後（Ｓ４５）。２回目以降の処理Ｓ４６において、画像生成部２５は、光学的読取コード１０を表示器２０の画面２００の中央を中心に、矢印Ｙ１１の方向に離れた位置と対象となる位置（矢印Ｙ１２の方向）に変更する。
【００６８】
このようにして、処理Ｓ４６において、画像生成部２５は、前回の方向とは別の方向に変更する。つまり、画像生成部２５は、処理Ｓ４６において、矢印Ｙ１１の方向（図８Ａ参照）、又は矢印Ｙ１２の方向（図８Ｂ参照）に、画面２００の中央から離れた位置に光学的読取コード１０を配置した画像を生成する。また、画像生成部２５は、処理Ｓ４６において、矢印Ｚ１１の方向（図９Ａ参照）、又は矢印Ｚ１２の方向（図９Ｂ参照）に、画面２００の中央から離れた位置に光学的読取コード１０を配置した画像を生成する。また、上述の方向以外にも、光学的読取コード１０を表示器２０の画面２００の中央から、画面２００の四隅の方向に離れた位置に光学的読取コード１０を配置した画像を生成してもよい。
【００６９】
また、別の変形例にかかる画像生成部２５は、例えば、利用者の進行方向に携帯端末２を動かしたことで、画像の生成を停止してもよい。また、例えば、画像生成部２５は、利用者が鉛直方向に携帯端末２を動かしたことで、画像の生成を停止してもよい。この場合、携帯端末２は、加速センサから検出された加速度が所望の閾値を超えた場合である。
【００７０】
また、別の変形例では、ゲートシステムは、改札システム１など駅務で使用される例に限定されず、施設、例えば遊園地、建屋のエントランス、で使用されてもよい。この場合、光学的読取コード１０は、例えば、入場日時、利用者の個人情報を示してもよい。
【００７１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００７２】
さらに、この発明にかかる構成と上述した実施形態にかかる構成との対応関係は、以下の付記のように記載できる。
【００７３】
＜付記＞
ゲート装置（３）に読み取らせる光学的読取コード（１０）を配置した画像を生成する画像生成部（２５）と、前記画像を表示器（２０）の画面（２００）に表示させる表示部（２４）と、前記表示器（２０）の画面（２００）の向きを検出する検出部（２３）と、を備え、前記画像生成部（２５）は、前記検出部（２３）によって、前記表示器（２０）の画面（２００）が、前記ゲート装置（３）の読取領域（３２０）に対向する向きであることが検出されている間、時間の経過に伴って、前記光学的読取コード（１０）の表示位置を異なる位置に配置した画像を生成する、携帯型情報端末（２）。
【符号の説明】
【００７４】
１…改札システム（ゲートシステム）
２…携帯端末（携帯型情報端末）
３…自動改札機（ゲート装置）
１０…光学的読取コード
２０…表示器
２３…検出部
２４…表示部
２５…画像生成部
２００…画面
３２０…読取領域
【図１】
2019159915.tif 000003
【図２】
2019159915.tif 000004
【図３】
2019159915.tif 000005
【図４】
2019159915.tif 000006
【図５】
2019159915.tif 000007
【図６】
2019159915.tif 000008
【図７】
2019159915.tif 000009
【図８】
2019159915.tif 000010
【図９】
2019159915.tif 000011
【図１０】
2019159915.tif 000012